(57)【特許請求の範囲】
【請求項１】
飲料容器のためのカバー装置であって、
筐体と、少なくとも１つの飲み口を有する吐出部と、を含む基部アセンブリと、
閉状態において前記飲料容器の内部から前記カバー装置を通して前記飲料容器の外へと液体が流れることを防ぎ、開状態において液体の流れが通過することを許容するよう構成された、弁構成と、
を有し、
前記弁構成は、弁要素と環状の接続部材とを有し、
前記弁要素は、スリットを持ち、前記弁要素は、前記環状の接続部材が前記弁要素と接触して前記弁要素と前記環状の接続部材との間のヒンジ型の接触を実現し、圧力がかけられたときに、前記カバー装置における前記弁要素の位置及び向きを変えることを可能とするよう、前記吐出部の基部に配置され、
前記基部アセンブリは、前記弁要素の内周部と外周部との間の位置において前記弁要素を局所的に支持するための接続部材を持ち、前記弁要素及び前記接続部材の少なくとも一方は、前記飲み口の方向に前記弁要素において増大した圧力が作用するときに、前記接続部材に対して前記弁要素がきつく押し付けられるほど、前記スリットがよりかたく閉じられるような形状とされた、カバー装置。
【請求項２】
前記弁要素は、前記接続部材の位置において傾斜した形状を持ち、前記傾斜した形状は、静置位置において前記接続部材と重なる前記弁要素の部分を少なくとも部分的に越えて延在する、請求項１に記載のカバー装置。
【請求項３】
前記接続部材は、静置位置において前記弁要素と重なる前記接続部材の部分を少なくとも部分的に越えて延在する傾斜した形状を持つ、請求項１に記載のカバー装置。
【請求項４】
前記弁要素は、前記弁要素に傾斜した形状を備えさせる１つよりも多い補強リブを持つ、請求項２に記載のカバー装置。
【請求項５】
前記接続部材は環状の部材である、請求項１乃至４のいずれか一項に記載のカバー装置。
【請求項６】
前記補強リブは、前記弁要素の中心のまわりに回転対称的に配置された、請求項４に記載のカバー装置。
【請求項７】
飲料容器と、請求項１乃至６のいずれか一項に記載のカバー装置と、のアセンブリであって、前記カバー装置は、前記飲料容器に着脱可能に装着された、アセンブリ。
【発明の詳細な説明】
【技術分野】
【０００１】
本発明は、飲み口を持つ基部アセンブリと、弁構成と、を有する、飲料容器のためのカバー装置に関する。一実施例においては、該弁構成は、該基部アセンブリと関連付けられ、該飲料容器に面するよう意図されたカバー装置の側から該基部アセンブリにおける該飲み口への通路が遮断される程度を決定するための、種々の状態をとるよう構成される。
【０００２】
本発明はまた、飲料容器と、該飲料容器に着脱可能に装着される上述したカバー装置と、のアセンブリに関する。
【背景技術】
【０００３】
本出願人による国際特許出願公開WO2014/086625は、飲料容器のためのカバー装置であって、飲み口と、該カバー装置の飲料容器側から該飲み口への通路を遮断又は遮断解除するための弁構成と、を備えた基部アセンブリを有するカバー装置を記載している。該弁構成は弁要素を有し、該弁要素は、該弁要素がヒンジ的に基部アセンブリと関連付けられた場所において該弁要素の領域を通り互いに接続された２つの部分を持ち、該２つの部分のうち一方のみが、該基部アセンブリの飲み口と直接に連通しており、これにより、該弁要素が該カバー装置の飲料容器側からの圧力にさらされたときに、最も小さい力の総モーメントが当該一方の部分において実現され得る。中央部には、吸引力により開くスリットが存在している。
【発明の概要】
【発明が解決しようとする課題】
【０００４】
スリット弁の位置における弁要素の薄い材料は、弁要素における飲料容器に過圧が存在するときに変形し、時々該スリット弁が開くことに帰着する。過圧は例えば、飲料容器が逆さまに保持されたとき、又は振られたときに生じる。
【０００５】
本発明のこれらの及び他の態様は、以下に説明される実施例を参照しながら説明され明らかとなるであろう。
【課題を解決するための手段】
【０００６】
本発明の目的は、飲料容器のためのカバー装置の漏れ抵抗を更に改善することにある。本発明は、独立請求項により定義される。有利な実施例が、従属請求項において定義される。一実施例においては、ユーザが真空力をかけることにより容易に開かれることができつつ、弁構成が容器側における圧力にさらされた場合にも、飲料容器の漏れを防ぐ封止を実現することが可能な、弁構成が提示される。一実施例は、少なくとも１つの飲み口を備えた基部アセンブリと、基部アセンブリと関連付けられた弁構成と、を有する、飲料容器のためのカバー装置を提供し、該弁構成は、該飲料容器に面するよう意図されたカバー装置の側から該基部アセンブリにおける該飲み口への通路が遮断される程度を決定するための、種々の状態をとるよう構成され、該弁構成は、該基部アセンブリの支持面部とヒンジ型に関連付けられた要素を有し、該弁要素は、該弁要素がヒンジ的に基部アセンブリの該支持面部と関連付けられた場所において存在する弁要素の領域を通して互いに接続された２つの部分を持ち、該弁要素の該２つの部分のうち一方のみが、該基部アセンブリの飲み口と直接に連通している。
【０００７】
本発明によるカバー装置は、飲み口及び接続部材を持つ基部アセンブリと、弁要素を有する弁構成と、を有し、該弁要素はスリットを持ち、該弁要素及び該接続部材のうちの少なくとも一方が、該接続部材に対して該弁要素がきつく押し付けられるほど、スリットがよりかたく閉じられるような形状とされる。
【０００８】
該飲料容器が振られる又は逆さまに保持されると、飲み口の方向に弁要素において増大した圧力が作用する。これにより該弁要素は、該基部アセンブリの飲み口に向かって外側へと押される。弁要素及び／又は接続部材の形状を、該接続部材に対して該弁要素がきつく押し付けられるほど、スリットがよりかたく閉じられるようなものとすることにより、該弁要素に増大した圧力が作用したときに、該弁要素がよりかたく閉じられることとなる。
【０００９】
好適な実施例においては、該弁要素は、該接続部材の位置において傾斜した形状を持ち、該傾斜した形状は、静置位置とも呼ばれる通常の動作状態において該接続部材と重なる該弁要素の部分を少なくとも部分的に越えて延在する。
【００１０】
該傾斜した形状は、該接続部材上における該弁要素の滑らかな滑動を可能とする。該傾斜した形状が、該弁要素と該接続部材とが接続する場所において該弁要素において存在する場合、該弁要素は傾斜の変化に打ち克つ必要はなく（弁要素が該傾斜した形状の外側で接続部材と接続している場合には必要となる）、斯くしてスリットの２つの部分間の閉じ力を増大させるための閾値を低下させる。
【００１１】
他の実施例においては、該接続部材は、静置位置とも呼ばれる通常の動作状態において該接続部材と重なる該弁要素の部分を少なくとも部分的に越えて延在する傾斜した形状を持つ。
【００１２】
該傾斜した形状は、該接続部材上における該弁要素の滑らかな滑動を可能とする。該傾斜した形状が、該弁要素と該接続部材とが接続する場所において該接続部材において存在する場合、該弁要素は傾斜の変化に打ち克つ必要はなく（弁要素が該傾斜した形状の外側で接続部材と接続している場合には必要となる）、斯くしてスリットの２つの部分間の閉じ力を増大させるための閾値を低下させる。
【００１３】
有利にも、該弁要素は、該弁要素に傾斜した形状を備えさせる１つよりも多い補強リブを持つ。
【００１４】
有利にも、該接続部材は、環状の部材である。
【００１５】
好適には、該補強リブは、該弁要素の中心のまわりに回転対称的に配置される。
【００１６】
本発明の上述した及び他の態様は、以下の飲料容器のためのカバー装置の幾つかの実施例の詳細な説明を参照しながら説明され明らかとなるであろう。
【００１７】
本発明は以下、図面を参照しながらより詳細に説明されるが、該図面において、同一の又は類似する部分は同じ参照番号により示されている。
【図面の簡単な説明】
【００１８】
【図１】本発明の実施例による飲料ボトルの上部及びカバー装置の分解図を示す。
【図２】本発明の実施例によるカバー装置の断面図を示す。
【図３】本発明の実施例によるカバー装置の弁構成の斜視図を示す。
【図４】本発明の実施例によるカバー装置の弁構成の斜視図を示す。
【図５】本発明の実施例によるカバー装置の弁構成の断面図を示す。
【図６】本発明の実施例による飲み口からの吸引及び飲料容器における過圧の際の、静置位置におけるカバー装置の模式的な断面図を示す。
【図７】本発明の実施例による飲み口からの吸引及び飲料容器における過圧の際の、静置位置におけるカバー装置の模式的な断面図を示す。
【図８】本発明の実施例による飲み口からの吸引及び飲料容器における過圧の際の、静置位置におけるカバー装置の模式的な断面図を示す。
【発明を実施するための形態】
【００１９】
図１乃至５は、本発明の実施例によるカバー装置５に関する。一般的に、カバー装置５は、飲料ボトル１１のような飲料容器の開放側１２をカバーするために用いられることを意図され、カバー装置５は、飲料容器１１から液体のこぼれることを防ぐ機能を持つ。しかしながら、カバー装置５は、封止機能を持つカバーではない。その代わり、カバー装置５は、閉状態においてカバー装置５を通して飲料容器１１の外へと飲料容器１１の中から液体が流れることを防ぎ、開状態において液体の流れが通過することを許容するよう構成された、弁構成２０を有する。このようにして、カバー装置５及び飲料容器１１のアセンブリ１０のユーザが、カバー装置５を外す必要なく、望むときに飲料容器１１から飲むことを可能とすることができ、一方で全ての他の状況においてカバー装置５は飲料容器１１における封止機能を実行することができる。
【００２０】
カバー装置５は、筐体３０と、筐体３０から突出した吐出部３１とを有し、吐出部３１は、少なくとも１つの飲み口３２を有し、ユーザの口に挿入されることを意図される。筐体３０と吐出部３１とのアセンブリは、カバー装置５の基部アセンブリ９とも呼ばれることは留意されたい。ユーザが吐出部３１に吸引力を及ぼすと、その結果として吐出部３１に減圧が得られ、弁構成２０を開かせ、飲料が飲料容器１１からユーザの口へと通過することを可能とさせるが、ここでユーザは、飲料がカバー装置１の位置に存在するよう飲料容器１１を傾いた方向に保つことが仮定される。弁構成２０の詳細は、後に説明される。図２は、弁構成２０がどのようにカバー装置５に配置されるかを示す。
【００２１】
本発明の枠組み内では、カバー装置５及び飲料容器１１は、ユーザの所望に応じて、カバー装置５と飲料容器１１とが互いに装着される又は互いから脱着されることを可能とするための、いずれの適切なタイプの手段を備えていても良い。例えば、カバー装置５及び飲料容器１１の両方がねじ構成を備えていても良く、ここで図１に示されるように飲料容器１１が雄ねじ１３を備えても良く、カバー装置５の筐体３０が、飲料容器１１の雄ねじ１３と係合するための雌ねじを備えても良い。
【００２２】
カバー装置５は、筐体３０と少なくとも１つの飲み口３２を有する吐出部３１とを含む基部アセンブリ９、及び弁構成２０を有する。弁構成２０は、弁要素２６を有する。筐体３０は、弁要素２６の内周部と外周部との間の位置において、弁要素２６を局所的に支持するよう機能する、接続部材３７を有する。本実施例においては、該接続部材は、環状部材である。しかしながら、該接続部材は、楕円型、正方形型若しくは長方形型であっても良く、又は吐出部の基部から延在する２本の直線状の平行に配置された部分を有しても良い。弁要素２６は、吐出部３１の基部に配置される。特に、部材３７は、小さな領域のみを通して弁要素２６に接触し、これによりヒンジ型の接触が実現される。更に、筐体の弁要素２６と環状部材３７との間のヒンジ型の接触は、圧力がかけられたときに、カバー装置５における弁要素２６の位置／向きにおける変化を可能とする。
【００２３】
筐体３０の環状部材３７は、弁要素２６を２つの部分へと、即ち言うなれば中央部２７と外側環状部２８とに分割する。図２に示されるように、中央部２７は、吐出部３１と直接に連通する筐体３０の内側空間に位置し、外側環状部２８は、環状部材３７により当該内側空間から離隔されている。換言すれば、中央部２７は吐出部３１の飲み口３２と直接に連通し、外側環状部２８は連通していない。その結果、ユーザが吐出部３１に吸引力をかけ、それにより吐出部３１に減圧を生成すると、中央部２７のみが当該減圧の影響を受け、中央部２７のまわりの圧力差が、弁要素２６の変形及び傾斜運動を引き起こし、それによりスリット４２の２つの側が互いから離れるよう引かれ、スリット４２の封止接触が失われることとなる。この時点において、弁構成２０は開状態となる。中央部２７の傾斜効果を増大させるため、外側環状部２８は波状部４３を有し、それにより中央部２７の向きの変化が、大きな力を必要としないようにされる。
【００２４】
飲料容器１１の内部において過圧が得られたときには別の状態が得られるが、斯かる場合は、例えば飲料容器１１が少なくとも或る程度満たされた状態で、飲料容器１１が振られた又は落とされたときに生じ得る。上述した過圧の状況においては、弁要素２６の中央部２７及び外側環状部２８は共に飲料容器１１の内部と連通しているため、これら部分２７、２８の両方のまわりに圧力差が得られる。外側環状部２８は、筐体３０の吐出部３１の方向に押され、飲料容器１１と環状部材３７との間に存在する内部空間へと動く様な態様で変形される。中央部２７は、２つの因子、即ち上述した圧力差と、外側環状部２８の変形の結果である張力と、の影響下となる。第１の因子は、スリット４２の２つの側の間の封止接触が失われる位置を中央部２７がとるようにさせ、第２の因子は、中央部２７を飲料容器１１の方向に傾けさせ、スリット４２の２つの側の間の封止接触が強化される位置を中央部２７がとるようにさせる傾向がある。弁要素２６の設計は、第２の因子が最も強い要因であり、飲料容器１１に面するカバー装置５の側において過圧の状態が優勢となる状態で弁構成２０の閉状態が確実とされるよう選択される。数あるなかでも、中央部２７における外側環状部２８の影響に寄与する設計因子は、筐体３０の環状部材３７に対するヒンジ接触の位置における弁要素２６における１つ以上の補強リブ４５、４６の存在であり、これにより、中央部２７における外側環状部２８のレバー効果が増大させられる。
【００２５】
弁構成２０の閉状態は、弁要素２６に備えられたスリット４２の２つの側の封止接触に基づいて得られる。スリット４２は、弁要素２６のドーム型の中央部２７に存在する。斯くして、スリット４２を持つ中央部２７が、図２に示されるように吐出部３１の飲み口３２と直接に連通することが実現され、一方では、中央部２７と外側環状部２８との区別が為される位置である、弁要素２６が吐出部３１の基部にヒンジ的に接触する位置において、外側環状部２８と飲み口３２との間の連通は遮断されているため、外側環状部２８は飲み口３２と直接に連通しない。外側環状部２８と飲み口３２との間の連通は、吐出部３１の基部において環状部３７を囲む又は該環状部により囲まれる、スリーブ６０の存在によっても防止される。図２に示された実施例においては、スリーブ６０は、環状部３７を囲む。しかしながら、担体の状況、即ちスリーブ６０を環状部３７が囲む状況も、同様の効果、即ち外側環状部２８と飲み口３２との間の流体の連通を防止する効果を持つ、選択肢のひとつである。
【００２６】
弁要素２６は、該要素の一方の側から他方へと得る迂回が通過することを許容するための弁６１を備える。弁６１は、例えばダックビル弁を有する。空気が通過することを許容するための弁６１は、外側環状部２８に配置される。弁要素２６はまた、少なくとも１つの、好適には１つよりも多い、空気チャネル６２を備えても良い。空気が通過することを許容するための空気チャネル６２は、弁要素２６の端部に配置される。空気チャネル６２は、空気が通過するのに適しているが、飲料容器１１の内部から飲料容器１１の内部の外へと液体が流れるには小さ過ぎるものである。弁要素２６は、１つ以上の空気弁６１、１つ以上の空気チャネル６１、又は双方の組み合わせを備えても良い。
【００２７】
図２は、吐出部３１に対して弁要素２６がどのように配置されるかを示し、また吐出部３１の基部において吐出部３１の内側に、弁要素２６のドーム型の中央部２７が存在していることを示している。スリーブ６０は、弁要素２６の中央部２７を囲む。スリーブ６０は、環状部材３７のまわりに配置される。弁要素２６は、該要素の位置に保持され、スリーブ６０及び飲料容器１１とカバー装置５との間の狭い空間によって、移動することを防止される。完全さのため、弁要素２６は、例えば外周部に近い位置における筐体３０への接続を通して、又は別個の保持器によって、のように、いずれの適切な態様で、カバー装置５の中に保持されても良いことに、留意されたい。
【００２８】
図６に示されるように、カバー装置５における弁要素２６の静置位置において、スリット４２が閉じられる。弁要素２６、及びより具体的にはリブ４７は、傾斜した形状を持つ。弁要素２６は、接続部材３７において傾斜した形状により静置される。
【００２９】
図７に示されるように、吐出部３１が吸引力にさらされ、その結果として減圧が吐出部３１に優勢となると、弁要素２６のまわりに圧力差が得られ、弁要素２６の中央部２７に作用する。その結果、中央部２７は、或る程度まで吐出部３１へと更に引かれて変形させられ、スリット４２を囲む部分が言わば引き離されるという事実によってスリット４２が自動的に開く。この状態において、弁要素２６の一方の側から他方の側への開いた通路が存在し、これにより液体が弁要素２６の容器側から吐出部側へと通過し得る。弁要素２６の傾斜した形状は、接続部材から（静置位置において）離れる傾斜した形状によって、該スリットの容易な又は滑らかな開放に寄与する。飲み口３２を通してユーザにより実行される吸引動作により引き起こされる飲料容器１１における減圧、及びその結果の弁構成２０の開状態により、空気弁６１が開き、それにより減圧は通気効果によって正常化され得る。減圧はまた、空気チャネル６２によっても正常化され得る。
【００３０】
弁要素２６の容器側における減圧の状況においては、図８に示されるように、スリット４２が閉じられ、弁要素２６に優勢となる張力の影響の下で、更に堅固な閉じが実現される。特に、斯かる状況においては、圧力差が、弁要素２６全体に亘って、即ち中央部２７及び外側環状部２８の両方に亘って優勢となる。当該圧力差の影響の下、外側環状部２８は、かなりの程度まで変形させられる。吐出部３１の基部は、特定の距離に亘って筐体３０の中に突出し、外側環状部２８は、基部アセンブリ９に向かう方向に押され、それにより、吐出部３１の突出構成のため、外側環状部２８と筐体３０との間に存在する空間へと動く。過圧の状況においては、弁要素２６の傾斜した形状は、内部空間において飲み口３２に向かう弁要素２６の滑らかな移動を可能とし、これにより、図９において小さな矢印により示されているように、スリット４２の部分を互いに向けて圧縮する。弁要素２６の２つの部分の傾斜は、補強リブ４５、４６により防止される。外側環状部２８は、外側環状部２８を局所的に弱くし、波状部４３の間に存在する外側環状部２８の部分４４の傾斜運動、及び吐出部３１の基部と弁要素２６との間の接触を確実にするための、図示された例におけるような、波状部４３を備えても良い。該傾斜運動は、弁要素２６の中央部２７において継続され、スリット４２を区切る部分は傾斜させられ変形させられ、その結果、中央部２７が平坦化される。その結果、スリット４２は固く閉じられ、過圧の状況において望ましいような弁構成２０の封止機能が実現される。弁要素２６は、図示された例におけるように幾つかの補強リブ４５、４６、４７を含み、それにより、弁要素２６の柔軟性にもかかわらず、中央部２７における外側環状部２８のレバー動作、及びそれに伴うスリット４２の閉じが保証され得る。補強リブ４５、４６、４７の数は、例えば弁要素２６の厚さ、並びに該補強リブの径方向の長さ及び接線方向の幅に依存して、変更されても良い。第５の実施例においては、レバー動作を支持するための補強リブ４５、４６、４７は、弁要素２６の瓶側、及び中央部２７に配置される。補強リブ４５、４６の目的は、カバー装置５によりカバーされる飲料容器１１において過圧が優勢となったときに生じると考えられる、主部２７における副部２８のレバー動作を支持することである。弁要素２６の中央部２７における補強リブ４７は、飲料容器１１における減圧の際にスリット４２を閉状態に支持する。補強リブ４６のひとつは、リブ４６が弁要素２６から更に延在するような、細長い補強リブ４６であっても良い。該細長い補強リブ４６は、ハンドル部として機能する。ハンドル部４６は、ユーザがカバー装置５から弁要素２６を容易に取り外すことを可能とする。ユーザはこのとき、弁要素２６及びカバー装置５を容易に洗浄することができる。
【００３１】
飲料容器１１のためのカバー装置５は、少なくとも１つの飲み口３２及び環状部３７を備えた基部アセンブリ９を有する。実用的な実施例においては、基部アセンブリ９は、筐体３０と、筐体３０から突出し、自由端において飲み口３２を持つ、吐出部３１を有しても良い。カバー装置５は更に、飲料容器１１に面するよう意図されたカバー装置５の側から基部アセンブリ９における飲み口３２への通路を遮断するための閉状態をとるように、及び、上述した通路の遮断を解除するための開状態をとるように構成された、弁構成２０を有する。特に、弁構成２０は、スリーブ６０及びスリット４２を有する弁要素２６を有し、スリーブ６０の周縁部は、環状部３７の周縁部とほぼ同様である。スリーブ６０及び環状部３７が、スリット４２の方向に第１の直径を持ち、スリット４２に垂直な第２の直径を持ち、スリーブ６０の該第１の直径と第２の直径との間の比が、環状部３７の該第１の直径と第２の直径との間の比よりも小さいことにより、該弁構成の漏れ抵抗が更に改善される。
【００３２】
弁構成２０は、弁要素２６が基部アセンブリ９とヒンジ的に関連付けられる位置において弁要素２６の領域を通して互いに接続された部分２７と部分２８とを持つ弁要素２６を有し、弁要素２６の部分２７、２８の一方のみが、基部アセンブリ９の飲み口３２と直接に連通し、弁要素２６の部分２７、２８のサイズ、位置及び向きは、弁要素２６が、飲料容器１１に面するよう意図されたカバー装置５の側からの圧力にさらされたときに、飲み口３２に直接に連通していない弁要素２６の部分２８よりも、基部アセンブリ９の飲み口３２と直接に連通する弁要素２６の部分２７においてのほうが、小さな力の総モーメントを持つようにされる。
【００３３】
弁要素２６の２つの部分２７、２８のうち一方のみが基部アセンブリ９の飲み口３２と直接に連通しており、他方は直接に連通していないという事実のため、ユーザが飲もうと欲しその目的のために飲み口３２を通して吸引力をかけたときに実現される、飲み口３２と関連付けられた弁要素２６の側において減圧が優勢であるときと、柔軟な要素２６の飲料容器側に過圧が優勢であるときとで、双方の状況について弁要素２６にかかる圧力差が同等であるにもかかわらず、これらの方向が関連する限り、弁要素２６の異なる反応を実現することが可能となる。この事実のため、カバー装置５に漏れを防ぐ性質を持たせつつ、弁構成２０が吸引動作に非常に好適に応答し、ユーザが大きな吸引力をかける必要をなくすことが可能となる。
【００３４】
異なる状況における弁要素２６の異なる反応は、第１の状況においては、基部アセンブリ９の飲み口３２の直接の影響下にある弁要素２６の部分２７のみが対処され、第２の状況においては、弁要素２６の部分２７、２８の両方が対処されるという事実に基づいて得られる。特に、弁要素２６の設計及び弁要素２６が収容された基部アセンブリ９の設計は、第２の状況において、飲み口３２の直接の影響下にある弁要素２６の部分２７が、他方の部分２８によりレバー動作をかけられ、該レバー動作が、第１の状況における場合と同様な態様で圧力差に応答するよう、第１の部分２７の傾斜よりも強くなるよう、選択される。数あるなかでも、この効果は、一方の部分２７のヒンジ領域までの距離が、他方の部分２８のヒンジ領域までの距離よりも、非常に長くはないことを仮定すると、一方の部分２７を他方の部分２８よりも小さくすることにより実現される。一般的に、本発明によれば、弁要素２６の部分２７、２８のサイズ、位置及び向きは、弁要素２６が、飲料容器１１に面するよう意図されたカバー装置５の側からの圧力にさらされたときに、基部アセンブリ９の飲み口３２と直接に連通している弁要素２６の部分２７においてのほうが、飲み口３２と直接に連通していない弁要素２６の他方の部分２８よりも、小さな力の総モーメントを持つようにされる。
【００３５】
弁構成２０を開閉するための閾値に関して、該閾値の値は、基部アセンブリ９の表面部分とのヒンジ的関連の弁要素２６における位置のような、設計上の因子によって決定されても良いことは、留意されたい。
【００３６】
図面に関連して以上に説明された例においては、基部アセンブリ９の支持面部分との弁要素２６のヒンジ的な関連は、ヒンジ接触である。このことは、本発明の枠組み内において、ヒンジ的な関連をヒンジ接続とすることも可能であるという事実を変更するものではない。例えば、弁要素２６は、環状部３７にのみ接触する代わりに、内側の環状部材３７に接続されても良く、ここで該接続は、ヒンジ効果が生じる位置における弁要素２６の側である。代替としては、膜の直立部として環状部材が備えられても良く、ここで該接続は該環状部材の上端におけるものである。ヒンジ効果は、必ずしも接続の位置に存在する必要はない。例えば、後者の場合においては、該接続は環状部材の上端における位置に存在し、ヒンジは該環状部材の底端における位置、即ち該環状部材が該膜に装着される位置に存在し、ここでヒンジは、ひとつの選択肢としては、該底側における該環状部材を十分に薄くすることによって実現されても良い。いずれの場合においても、基部アセンブリ９に対して異なる位置／外見をとるよう構成された弁要素２６を識別することが可能であり、これにより、基部アセンブリ９の飲み口３２への通路が遮断される程度を制御することが可能であり、ここで、他方の要素への関連により分離され、以上に説明されたように別個の要素であっても良いし又は一体的な要素であっても良い２つの部分２７、２８は、弁要素２６において識別され、これは基部アセンブリ９の支持表面部から／該支持表面部において弁要素２６を懸架／支持する機能を持ち、ここで該関連は、要素２６のヒンジ運動が、要素２６に作用する種々のとり得る圧力の影響の下で生じることを可能とされるようなものである。
【００３７】
本発明の範囲は、以上に議論された例に限定されるものではなく、添付される請求項において定義された本発明の範囲から逸脱することなく、幾つかの修正及び変更が可能であることは、当業者には明らかであろう。本発明は図面及び以上の記述において説明され記載されたが、斯かる説明及び記載は単に説明するもの又は例示的なものであって、限定するものではない。本発明は、開示された実施例に限定されるものではない。
【００３８】
以上の説明及び添付された請求項を読むことにより、請求される本発明を実施化する当業者によって、開示された実施例に対する変形が理解され実行され得る。請求項において、「有する（comprising）」なる語は他のステップ又は要素を除外するものではなく、「１つの（a又はan）」なる不定冠詞は複数を除外するものではない。特定の手段が相互に異なる従属請求項に列挙されているという単なる事実は、これら手段の組み合わせが有利に利用されることができないことを示すものではない。請求項におけるいずれの参照記号も、請求の範囲を限定するものとして解釈されるべきではない。
【００３９】
明確さのため、本明細において用いられる「過圧（overpressure）」及び「減圧（underpressure）」なる用語は、周囲の圧力よりもそれぞれ高い圧力及び低い圧力を意味するものと理解される。
【００４０】
更に、カバー装置５のユーザが吸引力をかけることによって飲み口３２から飲むことが可能である限り、基部アセンブリ９は必ずしも吐出部３１を備える必要はないことに、留意されたい。吐出部３１のように、筐体３０から突出する要素の端部に飲み口３２が存在することが実用的ではあるが、このことは本発明の枠組み内において必ずしも必須ではない。
【００４１】
上述の実施例は本発明を限定するものではなく説明するものであって、当業者は添付する請求項の範囲から逸脱することなく多くの代替実施例を設計することが可能であろうことは留意されるべきである。請求項において、括弧に挟まれたいずれの参照記号も、請求の範囲を限定するものとして解釈されるべきではない。「有する（comprise）」なる語は、請求項に記載されたもの以外の要素又はステップの存在を除外するものではない。「１つの（a又はan）」なる語は、複数の斯かる要素の存在を除外するものではない。幾つかの手段を列記した装置請求項において、これら手段の幾つかは同一のハードウェアのアイテムによって実施化されても良い。特定の手段が相互に異なる従属請求項に列挙されているという単なる事実は、これら手段の組み合わせが有利に利用されることができないことを示すものではない。
【図１】
0006368381.tif 000002
【図２】
0006368381.tif 000003
【図３】
0006368381.tif 000004
【図４】
0006368381.tif 000005
【図５】
0006368381.tif 000006
【図６】
0006368381.tif 000007
【図７】
0006368381.tif 000008
【図８】
0006368381.tif 000009